(57)【要約】【課題】  交換ユニットを交換する際の作業を安全かつ効率良く行う。【解決手段】  係留装置を、本体部材５の上部に設けられたブラケット１８と、保持枠２７の上部に設けられた掛止部材４５とから構成する。交換ユニットを据え置きユニットから取り外す際に固定装置を外し、交換ユニットを本体部材５の組付け部５ａから取り外し方向へと回動させる。このとき、掛止部材４５のフック４５ａがブラケット１８の掛止部１８ａに掛止するので、交換ユニットが仮保持位置に保持される。作業者は、掛止部材４５の把持部４５ｂを掴んで、交換ユニットを上方に持ち上げることで容易に取り外すことが可能となる。【選択図】        図８
2005130976.tif 000002
【特許請求の範囲】
【請求項１】
遊技領域を有する遊技盤を保持する保持部材と、前記保持部材が組み付けられる本体部材とを備えた弾球遊技機において、
前記本体部材に設けられた組付け部から前記保持部材を取り外す際に、前記保持部材を本体部材に対して所定の位置で係留する係留装置を設け、
前記係留装置を、
前記本体部材に設けられたストッパと、
前記保持部材に設けられ、前記ストッパに掛止する第１位置と、前記掛止を解除する第２位置との間で回動し、バネ付勢によって前記第１位置に保持される鉤部と、前記鉤部をバネ付勢に抗して前記第１位置から前記第２位置へと回動させる把持部とを備えた掛止部材と、
から構成したことを特徴とする弾球遊技機。
【請求項２】
前記ストッパは、前記保持部材を本体部材に組み付ける際に前記掛止部材の鉤部と摺接し、前記鉤部を前記第１位置から前記第２位置に向けて回動させる摺設面を備え、前記鉤部は前記摺設面を摺接した後に、前記バネ付勢によって前記第１位置に回動して前記ストッパと掛止することを特徴とする請求項１記載の弾球遊技機。
【請求項３】
前記ストッパは、前記保持部材を前記本体部材に対して着脱する際に、前記鉤部を前記保持部材の組付け方向、又は保持部材の取外し方向のいずれか一方の方向へと案内し、且つ前記鉤部を第１位置から第２位置に回動可能な開口を備えていることを特徴とする請求項１又は２記載の弾球遊技機。
【発明の詳細な説明】
【技術分野】
【０００１】
本発明は、パチンコ店などの遊技場に設置して使用されるパチンコ機等の弾球遊技機に関するものである。
【背景技術】
【０００２】
遊技場に設置される弾球遊技機としてパチンコ機が挙げられる。このパチンコ機は、遊技場の所定箇所に固定される固定枠を介して遊技場に配設される。このパチンコ機は、基体となる本体部材に、遊技球が打ち出される遊技領域が前面に設けられた遊技盤が設けられる他に、前記遊技領域を透視可能にする窓部を備えた前面扉が開閉自在に設けられている。上記遊技盤の背面には、遊技に基づいて作動される駆動装置を作動制御する作動制御装置や遊技球の通路などが組み付けられている。
【０００３】
このようなパチンコ機において新しい機種への機種替えを行う場合、固定枠毎取り外して新しい機種のパチンコ機を遊技場の所定箇所に配設している。この場合、共通化できる部分（例えばパチンコ機の基本動作を行う部分）も交換してしまうため、効率のよいコストダウンを行うことができないという問題があり、パチンコ機の基本動作を行う部分をパチンコ店等の遊技場に据え置きにし、例えば遊技領域を有する部材となる例えば遊技盤や遊技に関わる制御を行う制御回路装置等の機種に依存する部分を交換することが考えられている。これにより、交換部を新しい機種に対応するものに替えるだけで、効率の良い製造、又はリサイクル及び作業等のコストダウンを行うことが可能となる。
【０００４】
このように、遊技盤や新しい遊技性を行う制御装置等の交換を行う場合、前面扉は本体部材に設けられることから据え置きとなるため、遊技盤交換における新しい機種への機種替えを行った場合には見た目のデザイン性に劣ってしまい、遊技者に対して新しい機種というイメージを損ねるものとなる。このため、遊技盤、遊技領域を視認する窓部を備えた前面扉と、遊技盤及び前面扉を保持する保持枠とを１つのユニットとして交換部（交換ユニット）とすることが考案されている。これにより、新しい機種への機種替え時に前面扉の交換も行え、遊技者に新しい機種であることをアピールし、新しい機種への興趣を与えることが可能となる。
【発明の開示】
【発明が解決しようとする課題】
【０００５】
しかしながら、交換部は、作動制御装置や遊技球の通路が組み付けられた遊技盤（所謂遊技盤ユニット）、前面扉及び保持枠からなるため、その重量が非常に重くなり、作業者１人で交換部を保持しながら本体部材に取り付けることが困難である。また、作業者は交換部を据置き部から取り外す場合、交換部を据え置き部（据え置きユニット）に取り付ける場合等の作業を行う際に交換部を誤って落下させてしまうことが考えられ、交換部を構成する遊技盤や前面扉等の破損、作業者の怪我、交換部の交換時の作業効率の低下等の原因に繋がるものとなる。
【０００６】
本発明は、上記従来技術の問題を解決するためになされたものであり、交換部を交換する際の作業を安全かつ効率良く行うことができるようにした弾球遊技機を提供することを目的とする。
【課題を解決するための手段】
【０００７】
本発明の弾球遊技機は、遊技領域を有する遊技盤を保持する保持部材と、前記保持部材が組み付けられる本体部材とを備えたものであり、前記本体部材に設けられた組付け部から前記保持部材を取り外す際に、前記保持部材を本体部材に対して所定の位置で係留する係留装置を設け、前記係留装置を、前記本体部材に設けられたストッパと、前記保持部材に設けられ、前記ストッパに掛止する第１位置と、前記掛止を解除する第２位置との間で回動し、バネ付勢によって前記第１位置に保持される鉤部と、前記鉤部をバネ付勢に抗して前記第１位置から前記第２位置へと回動させる把持部とを備えた掛止部材と、から構成したことを特徴とする。
【０００８】
また、前記ストッパは、前記保持部材を本体部材に組み付ける際に前記掛止部材の鉤部と摺接し、前記鉤部を前記第１位置から前記第２位置に向けて回動させる摺設面を備え、前記鉤部は前記摺設面を摺接した後に、前記バネ付勢によって前記第１位置に回動して前記ストッパと掛止することが好ましい。
【０００９】
また、前記ストッパは、前記保持部材を前記本体部材に対して着脱する際に、前記鉤部を前記保持部材の組付け方向、又は保持部材の取外し方向のいずれか一方の方向へと案内し、且つ前記鉤部を第１位置から第２位置に回動可能な開口を備えていることが好ましい。
【発明の効果】
【００１０】
本発明の弾球遊技機は、遊技領域を有する遊技盤を保持する保持部材と、前記保持部材が組み付けられる本体部材とを備えたものであり、前記本体部材に設けられた組付け部から前記保持部材を取り外す際に、前記保持部材を本体部材に対して所定の位置で係留する係留装置を設け、前記係留装置を、前記本体部材に設けられたストッパと、前記保持部材に設けられ、前記ストッパに掛止する第１位置と、前記掛止を解除する第２位置との間で回動し、バネ付勢によって前記第１位置に保持される鉤部と、前記鉤部をバネ付勢に抗して前記第１位置から前記第２位置へと回動させる把持部とを備えた掛止部材と、から構成したから、保持部材を組み付け部以外の所定部位に容易に保持することが可能になり、保持部材の本体部材からの取り外し、保持部材の本体部材への取り付けなど、保持部材を交換する際の作業を安全かつ作業良く行うことができる。
【００１１】
また、前記ストッパは、前記保持部材を本体部材に組み付ける際に前記掛止部材の鉤部と摺接し、前記鉤部を前記第１位置から前記第２位置に向けて回動させる摺設面を備え、前記鉤部は前記摺設面を摺接した後に、前記バネ付勢によって前記第１位置に回動して前記ストッパと掛止するから、前記保持部材を本体部材に組み付ける場合に、保持部材を本体部材に対して所定の位置で確実に保持することができる。
【００１２】
また、前記ストッパは、前記保持部材を前記本体部材に対して着脱する際に、前記鉤部を前記保持部材の組付け方向、又は保持部材の取外し方向のいずれか一方の方向へと案内し、且つ前記鉤部を第１位置から第２位置に回動可能な開口を備えているから、前記鉤部が、前記保持部材の組付け方向、又は保持部材の取外し方向のいずれか一方の方向へと案内されることによって、本体部材に確実且つ容易に組み付ける、又は取り外すことができるようになり、更に作業者が誤って保持部材から手を離した場合に、保持部材の移動を規制して係留させることができ、保持部材が遊技場等の床に落下することによる部品の破損、作業者の怪我等を防止することができる。
【発明を実施するための最良の形態】
【００１３】
図１及び図２に示すように、本発明のパチンコ機２は、据え置きユニット３及び交換ユニット４から構成されている。据え置きユニット３は、交換ユニット４を交換することで新機種へ切り替える、所謂面替えを行う場合に、パチンコ店等の遊技場に据え置きとなるユニットである。この据え置きユニット３は、交換ユニット４が組み付けられる組付け空間部（組付け部）５ａを有する本体部材５を備えている。なお、以下では、交換ユニット４が据え置きユニット３に組み付けられた時の交換ユニット４の位置、又は後述する保持枠２７が本体部材５の組み付け空間部５ａに組み付けられた時の保持枠２７の位置を組み付け位置として説明する。
【００１４】
本体部材５は、パチンコ機２の基体となる部品である。この本体部材５には、図示はしないが、例えば遊技球を遊技領域に発射する発射装置や、遊技球の払い出しを行う払出し装置、また遊技中の演出を行うスピーカ等の音声装置等のパチンコ機の基本動作を行う装置が組み付けられる。本体部材５の組付け空間部５ａの下方には、下部扉６が本体部材５に対して回動自在に組み付けられる。下部扉６は、遊技球を受容する受け皿７や、発射装置における遊技球の打ち出し強さを調整する操作ハンドル８が設けられている。なお、下部扉６や操作ハンドル８は、本体部材５に組み付けられていても、交換ユニット４に組み付けられていてもよいものとする。なお、本体部材５は、パチンコ店等の遊技場の所定位置に固定する固定枠１０に対して回動自在に組み付けられている。
【００１５】
上述したように、本体部材５に設けられた組付け空間部５ａは、交換ユニット４が組み付けられる箇所である。この組付け空間部５ａの下部には溝１５が設けられている。この溝１５は、交換ユニット４を本体部材５に組み付ける際に、交換ユニット４を構成する保持枠２７の底面に設けられた突部２７ａが挿入される。
【００１６】
図３に示すように、組み付け部５ａの上部中央には、係留装置１７を構成するブラケット１８を備えている。このブラケット（ストッパ）１８は、掛止部１８ａと、この掛止部１８ａと一体に設けられる取付け部１８ｂ〜１８ｄを備えている。掛止部１８ａは枠形状から形成され、この掛止部１８ａに設けられた開口１８ｅが掛止部材４５のフック４５ａが挿通される箇所となる。この掛止部１８ａの一端は下方に湾曲した形状となっており、この湾曲した上面が掛止部材４５のフック４５ａの先端が摺接する摺接面１８ｆとなる。
【００１７】
ブラケット１８の左右には、保持枠２７を本体部材５に固定する固定装置２０が設けられる。この固定装置２０は、例えば操作つまみ２１，２２から構成される。なお、以下では操作つまみの構成及び機能が同一であるので、操作つまみ２１に着いてのみ説明する。操作つまみ２１は、保持枠２７を本体部材５に組み付ける際に、保持枠２７の上部に設けられた開口４１に挿通され、操作つまみ２１の操作部２１ａを開口４１の中心を回転中心として回転させ脱不可状態とすることで、保持枠２７が操作つまみ２１の操作部２１ａと本体部材５とに挟持される。これにより、保持枠２７が組付け位置に保持される。
【００１８】
図４に示すように、交換ユニット４は、上部扉２５、遊技盤２６、保持枠２７から構成される。上部扉２５は、保持枠２７に対して図示しないヒンジを介して回動自在に組み付けられている。上部扉２５には、図示はしないがスピーカやＬＥＤ等からなる電飾が組み付けられている。この上部扉２５のほぼ中央には開口２５ａが設けられ、上部扉２５の後面に設けられるガラス２８等の透光性を有する部材によって遮蔽される。
【００１９】
遊技盤２６は板状から形成され、その前面にガイドレール３０等によって囲まれた遊技領域３１が露呈される。この遊技領域３１には、図示しない障害釘や風車の他に、通過チャッカー３２、始動入賞口を備えたスタートチャッカー３３、通常入賞口を備えた入賞チャッカー３４等の構造物が設けられる。このうち、スタートチャッカー３３には、電動チューリップ３５と呼ばれる開閉式の可動物が設けられる。また、遊技領域３１には、アタッカ３６と呼ばれる開閉式の可動物が設けられ、このアタッカ３６が開放されると、大入賞口が露呈される。遊技球は、上記障害釘や風車に弾かれるか、センター役物３７の側壁面等に弾かれて遊技領域３１を流下し、上記入賞口のいずれかに入賞するか、アウト口３８によって回収される。
【００２０】
上記構造物が配設された遊技領域３１の略中央には、センター役物３７が設けられ、センター役物３７のほぼ中央に図柄表示装置４０が配設される。この図柄表示装置４０では、遊技中の演出が表示される他に、始動入賞口に遊技球が入賞したときに、抽出される乱数を用いた判定に基づく図柄の変動表示や、上記判定に基づく図柄の停止表示が行われる。
【００２１】
遊技盤２６の上記遊技領域３０とは反対側となる背面には、遊技における基本動作を行う制御回路装置や、遊技球が上記入賞口に入賞した場合に賞球を払い出す払い出し装置等の装置や、上記入賞口及びアウト口３８に入賞した遊技球を所定の受け部へと誘導する球通路等が設けられる。
【００２２】
保持枠２７は、前面扉２５が、その一端を支軸として回動自在に組み付けられる他に、上記構成の遊技盤２６が組み付けられる。保持枠２７の下部には、本体部材５の組付け空間部５ａの下部に設けられた溝１５に挿入される突部２７ａ（図６参照）が設けられている。この保持枠２７の上部には、上記操作つまみ２１，２２が挿通される開口４１，４２が設けられる他に、係留装置１７を構成する掛止部材４５が設けられている。
【００２３】
図５に示すように、掛止部材４５は、略Ｔ字形状から設けられている。この掛止部材４５は、ブラケット４６，４７を介して保持枠２７の後面上部に組み付けられる。この掛止部材４５は、ブラケット１８の掛止部１８ａとフック４５ａが掛止する第１位置と、前記掛止が解除される第２位置との間で回動する。なお、掛止部材４５は、巻きバネ４８，４９の付勢によって第１位置に向けて付勢され、ブラケット４６，４７に設けられた回動防止片４６ａ，４７ａに図５中符号４５ｇ，４５ｈに示す領域が当接することで第１位置に保持される。なお、符号４６ｂ，４７ｂは、掛止部材４５の回動軸４５ｃ，４５ｄが挿通される軸穴である。
【００２４】
掛止部材４５は、フック（鉤部）４５ａ，把持部４５ｂ，回動軸４５ｃ，４５ｄとを備えている。フック４５ａは下方に湾曲した鉤状に形成され、ブラケット１８の掛止部１８ａと掛止する。把持部４５ｂは、保持枠２７を持ち運ぶ際に、作業者に掴まれる部分である。保持枠２７の上部中央を持つ場合に把持部４５ｂを掴むと、掛止部材４５が回動軸４５ｃ，４５ｄを中心に第１位置から第２位置に向けて回動する。
【００２５】
回動軸４５ｃは、ブラケット４６の軸穴４６ｂに挿通された後に、巻きバネ４８が挿通される。この巻きバネ４８の一端は、掛止部材４５に設けられた垂直面となる押圧片４５ｅに当接される。また、巻きバネ４８の他端は、図５中符号２７ｂで示す保持枠２７の水平面に当接する。同様にして、回動軸４５ｄには、ブラケット４７、巻きバネ４９が取り付けられ、巻きバネ４８の一端が垂直面となる押圧片４５ｆに、他端が保持枠２７の水平面２７ｂに当接する。これにより、掛止部材４５が第２位置に移動した際には、これら巻きバネ４８，４９の付勢により第１位置に復帰する。
【００２６】
次に、本実施形態の作用を説明する。パチンコ機２を製造する際には、まず据え置きユニット３及び交換ユニット４をそれぞれ組み立てる。そして、交換ユニット４を据え置きユニット３に組み付ける。作業者は、まず交換ユニット４を持ち上げて、交換ユニット４の下端部を据え置きユニット３の組付け空間部５ａの下面に載せる。図６に示すように、交換ユニット４を構成する保持枠２７の下面には突部２７ａが設けられており、この突部２７ａを図６中２点鎖線で示す位置から、実線で示す位置に向けて移動させ、本体部材５の組付け空間部５ａの下部に設けられた溝１５に差し込む。
【００２７】
図７に示すように、交換ユニット４の側部を持って、その上部を図７中Ｂ方向に示す方向（組付け方向）に向けて押し込む。これにより、交換ユニット４の下端を支軸として交換ユニット４を回動させることが可能となる。交換ユニット４を組付け空間部５ａに向けて押し込むと、掛止部材４５のフック４５ａが、ブラケット１８の摺接面１８ｆに当接する。さらに、交換ユニット４を組付け空間部５ａに向けて押し込むと、掛止部材４５のフック４５ａが摺接面１８ｆに摺接し、掛止部材４５が巻きバネ４８，４９の付勢に抗して図中Ｃ方向に回動する。これにより、掛止部材４５が第１位置から第２位置に向けて移動する。
【００２８】
図８に示すように、掛止部材４５のフック４５ａが摺接した後、さらにＢ方向に押し込むと、掛止部材４５のフック４５ａが摺接面３８ｆとの摺接が終了し、掛止部材４５が巻きバネ４８，４９の付勢によって図中Ｄ方向に回動する。これにより、掛止部材４５が第１位置に回動し、掛止部材４５のフック４５ａが開口１８ｅに挿通される。なお、この状態で作業者が交換ユニット４から手を離すと、交換ユニット４の自重が掛かり図８中Ｅ方向（取り外し方向）に移動するが、掛止部材４５のフック４５ａと、ブラケット１８の掛止部１８ｅとによる係留が行われているので、交換ユニット４が仮保持位置（所定の位置）に保持される。これによって、交換ユニット４が仮保持位置にある場合に、作業者が誤って手を滑らせても、係留装置１７によって交換ユニット４が仮保持位置に保持され、交換ユニット４を床に落下させることが無くなる。
【００２９】
図９に示すように、作業者が交換ユニット４を本体部材５の組付け空間部５ａに押し込むと、掛止部材４５のフック４５ａが、ブラケット１８の開口１８ｅによって案内され、開口１８ｅの内部を移動する。そして、保持枠２７が組み付け位置まで移動すると、保持枠２７の上部に設けられた開口４１，４２に操作つまみ２１，２２がそれぞれ挿通される。これにより、作業者は上部扉２５を開き、操作つまみ２１，２２を回転させて、保持枠２７を操作つまみ２１，２２と本体部材５とで挟持する。これにより、交換ユニット４が据え置きユニット３に対して組み付け位置に保持される。上部扉２５を閉じた後に、固定枠１０に対して本体部材５を回動させ、例えば本体部材５の後面部に組み付けられた制御装置と、交換ユニット４に組み付けられた制御装置との間をハーネス等を接続すると、新しいパチンコ機２が完成する。
【００３０】
一方、このようなパチンコ機２が遊技場に配設されている場合で、交換ユニット４を新しい機種の交換ユニットに変更する、所謂機種替えを行う場合には、まず交換ユニット４と、据え置きユニット３とのそれぞれに組み付けられた制御装置を接続するハーネスを取り外し上部扉２５を開く。そして、操作つまみ２１，２２をそれぞれ回転させ、交換ユニット４の保持を解除する。その後、図示しない押出し部材によって、又は交換ユニット４の側方を持って交換ユニット４を図８中Ｅ方向に回動させる。この回動によって、掛止部材４５のフック４５ａは開口３８ｅの内部を取外し方向（図８中Ｅ方向）に案内された後に、ブラケット１８の掛止部１８ａに掛止される。これにより、交換ユニット４が仮保持位置で保持されることになる。
【００３１】
作業者は、仮保持位置にある交換ユニット４の上端部を掴む。この際、作業者が掛止部材４５の把持部４５ｂを掴むことによって、掛止部材４５が第２位置となる方向（図８中Ｃ方向）に回動し、掛止部材４５のフック４５ａと、ブラケット１８の掛止部１８ａとの掛止が解除される。この状態で、交換ユニット４を上方に持ち上げる。これにより、一連の作業に基づいて保持枠２７の下部に設けられた突部２７ａが、本体部材５の溝１５から取り外されるので、交換ユニット４を据え置きユニット３から取り外すことができる。その後、新しい機種の交換ユニットを上記方法で組み付けることによって新しい機種の交換ユニットが据え置きユニット３に迅速且つ容易に組み付けられることになる。
【００３２】
本実施形態では、ストッパとして、ブラケットを用いた例を取り上げたが、これに限定する必要はなく、例えば掛止部材の鉤部と掛止自在とする円柱形状の棒をストッパとしても良い。
【図面の簡単な説明】
【００３３】
【図１】本発明のパチンコ機の外観を示す斜視図である。
【図２】交換ユニットと据え置きユニットとを分解した状態を示す斜視図である。
【図３】本体部材の上部を示す斜視図である。
【図４】交換ユニットの構成を示す斜視図である。
【図５】掛止部材周辺の構成を分解して示す斜視図である。
【図６】交換ユニットを据え置きユニットに組み付ける際の交換ユニットの下部を示す断面図である。
【図７】交換ユニットを据え置きユニットに組み付ける際の交換ユニットの上部を示す断面図である。
【図８】仮保持位置に位置した交換ユニットの上部を示す断面図である。
【図９】組み付け位置にある交換ユニットの上部を示す断面図である。
【符号の説明】
【００３４】
２    パチンコ機
３    据え置きユニット
４    交換ユニット
５    本体部材
１７    係留装置
１８    ブラケット
１８ａ  掛止部
１８ｆ    摺接面
２７    保持枠
４５    掛止部材
４５ａ    フック
４５ｂ    把持部
４８，４９    巻きバネ
【図１】
2005130976.tif 000003
【図２】
2005130976.tif 000004
【図３】
2005130976.tif 000005
【図４】
2005130976.tif 000006
【図５】
2005130976.tif 000007
【図６】
2005130976.tif 000008
【図７】
2005130976.tif 000009
【図８】
2005130976.tif 000010
【図９】
2005130976.tif 000011